(57)【要約】【課題】簡易に昇降機の仕様を比較することが可能な情報処理方法および情報処理装置を提供することを目的とする。【解決手段】実施形態は、情報処理装置で実行される情報処理方法である。前記情報処理装置は、第１の仕様に従った昇降機のＢＩＭパーツが有する第１のプロパティに設定されている第１の名称情報と、第２の仕様に従った昇降機のＢＩＭパーツが有する第２のプロパティに設定されている第２の名称情報と、を対応付けた変換情報を記憶する記憶部を備える。前記情報処理方法は、前記第１の仕様に従った昇降機の第１のＢＩＭパーツを取得する取得ステップを含む。また、前記変換情報に基づいて、前記取得ステップによって取得された前記第１のＢＩＭパーツが有する前記第１の名称情報を、前記第２の名称情報に変換する変換ステップを含む。【選択図】図６
2020201768.tif 000002
【特許請求の範囲】
【請求項１】
情報処理装置で実行される情報処理方法であって、
前記情報処理装置は、第１の仕様に従った昇降機のＢＩＭパーツが有する第１のプロパティに設定されている第１の名称情報と、第２の仕様に従った昇降機のＢＩＭパーツが有する第２のプロパティに設定されている第２の名称情報と、を対応付けた変換情報を記憶する記憶部を備え、
前記第１の仕様に従った昇降機の第１のＢＩＭパーツを取得する取得ステップと、
前記変換情報に基づいて、前記取得ステップによって取得された前記第１のＢＩＭパーツが有する前記第１の名称情報を、前記第２の名称情報に変換する変換ステップと、を含む、
情報処理方法。
【請求項２】
前記取得ステップは、さらに、前記第２の仕様に従った昇降機の第２のＢＩＭパーツを取得し、
前記第１のＢＩＭパーツが有する前記第１のプロパティの集合と、前記第２のＢＩＭパーツが有する前記第２のプロパティの集合と、を一覧表示する場合に、当該一覧表示に含まれる第１のＢＩＭパーツと第２のＢＩＭパーツに共通する前記第２の名称情報と、前記第２の名称情報に対応する前記第２のプロパティと、前記変換ステップにより前記第２の名称情報に変換された前記第１の名称情報に対応する前記第１のプロパティとを、並べて表示する表示ステップと、をさらに含む請求項１に記載の情報処理方法。
【請求項３】
ＢＩＭパーツを管理するサーバ装置に対し、前記変換ステップにより、前記第１の名称情報を前記第２の名称情報に変換した前記第１のＢＩＭパーツに相当する、前記第２の仕様に従った昇降機の第２のＢＩＭパーツの送信要求を送信するＢＩＭパーツ送信要求送信ステップと、
前記サーバ装置から、前記送信要求に対応する、前記第２のＢＩＭパーツを受信するＢＩＭパーツ受信ステップと、をさらに含む請求項１に記載の情報処理方法。
【請求項４】
価格情報を管理するサーバ装置に対し、前記第２のＢＩＭパーツが表す昇降機の見積金額の送信を要求する見積金額送信要求送信ステップと、
前記サーバ装置から、前記見積金額の送信の要求に対応する、前記見積金額を受信する見積金額受信ステップと、をさらに含み、
前記表示ステップは、前記第２のＢＩＭパーツが表す昇降機を識別する情報と前記見積金額とを対応付けて表示する、請求項２に記載の情報処理方法。
【請求項５】
前記表示ステップは、前記第１のＢＩＭパーツが有する前記第１のプロパティの集合と、前記第２のＢＩＭパーツが有する前記第２のプロパティの集合と、を一覧表示する場合に、該一覧表示された前記第２のプロパティの集合に対応する複数の前記第２の名称情報の中から単数または複数の前記第２の名称情報の選択を受付けたとき、該選択を受付けた前記第２の名称情報に対して、前記第２のプロパティと、前記変換ステップにより、前記第１の名称情報が前記第２の名称情報に変換された前記第１のプロパティと、を対応付けて表示する、請求項２又は４に記載の情報処理方法。
【請求項６】
前記取得ステップは、第３の仕様に従った昇降機の第３のＢＩＭパーツを取得し、
前記変換ステップは、前記変換情報に含まれる前記第１の名称情報の中に、前記第３のＢＩＭパーツが有する第３のプロパティに設定されている第３の名称情報が存在しない場合、前記第３の名称情報を、前記変換情報に含まれる前記第２の名称情報のうち前記第３の名称情報と共通の文字列を有する前記第２の名称情報に変換する、請求項１乃至５のいずれか一つに記載の情報処理方法。
【請求項７】
前記第３の名称情報と共通する文字列を有する前記第２の名称情報が複数あるとき、いずれか一つの前記第２の名称情報の選択を受付け、前記変換ステップは、前記第３の名称情報を、受付けた前記第２の名称情報に変換する、請求項６に記載の情報処理方法。
【請求項８】
前記記憶部に記憶された前記変換情報は、さらに、前記第２の名称情報の定義を表した定義情報を、前記第２の名称情報と対応付けられ、
前記第３の名称情報と共通する文字列を有する前記第２の名称情報が複数ある場合に、当該複数の前記第２の名称情報の各々について、前記定義情報を表示する第２の表示ステップをさらに含む、請求項７に記載の情報処理方法。
【請求項９】
前記変換ステップは、前記第２の名称情報のうち、前記第２の名称情報に対応する第２のプロパティが、予め定めた基準の範囲外にあるものを、変換の候補から除外する、請求項７または８に記載の情報処理方法。
【請求項１０】
第１の仕様に従った昇降機のＢＩＭパーツが有する第１のプロパティに設定されている第１の名称情報と、第２の仕様に従った昇降機のＢＩＭパーツが有する第２のプロパティに設定されている第２の名称情報と、を対応付けた変換情報を記憶する記憶部と、
前記第１の仕様に従った昇降機の第１のＢＩＭパーツを取得する取得部と、
前記変換情報に基づいて、前記取得部によって取得された前記第１のＢＩＭパーツが有する前記第１の名称情報を、前記第２の名称情報に変換する変換部と、を含む、
情報処理装置。
【発明の詳細な説明】
【技術分野】
【０００１】
本発明の実施形態は、情報処理方法および情報処理装置に関する。
【背景技術】
【０００２】
従来、昇降機の選定作業の際、仕様については、ユーザがサイトやカタログ等を調べて資料にまとめた上で比較を行っていた。
【０００３】
また、近年、ＢＩＭ（ビルディング・インフォメーション・モデリング）を利用することで、建築に関する作業やデータ管理の合理化、効率化などが図られている。例えば、ＢＩＭシステムを利用する設計者は、昇降機メーカ等から、昇降機等に対応するＢＩＭパーツを得ることができる。
【０００４】
例えば、特許文献１に記載された技術においては、昇降機の設備計画を提案する際、ＢＩＭパーツを導入する技術が提案されている。当該技術においては、ＢＩＭパーツを導入することで、昇降機を３次元的に表示可能となったので、視覚的に把握するのが容易となった。また、ＢＩＭパーツは、様々なプロパティを有しているため、設計者は、当該昇降機の詳細な仕様を把握することが容易となった。
【０００５】
さらに、ＢＩＭシステムを利用する設計者は、比較検討するために、様々な種類のＢＩＭパーツを取得することが可能となった。
【０００６】
このため、昇降機の選定作業において、ＢＩＭパーツを利用して、簡易に仕様を比較できるようにする技術が求められている。
【０００７】
しかしながら、複数のＢＩＭパーツ間の各々に設定されているプロパティの名称等が統一されていない場合もある。そのような場合に、設計者が、複数のＢＩＭパーツのプロパティを比較するのは、専門知識や経験なしには困難である。
【先行技術文献】
【特許文献】
【０００８】
【特許文献１】特開２０１２−２７８６９５号公報
【発明の概要】
【発明が解決しようとする課題】
【０００９】
本発明が解決しようとする課題は、簡易に昇降機の仕様を比較することができる情報処理方法および情報処理装置を提供することである。
【課題を解決するための手段】
【００１０】
実施形態は、情報処理装置で実行される情報処理方法である。前記情報処理装置は、第１の仕様に従った昇降機のＢＩＭパーツが有する第１のプロパティに設定されている第１の名称情報と、第２の仕様に従った昇降機のＢＩＭパーツが有する第２のプロパティに設定されている第２の名称情報と、を対応付けた変換情報を記憶する記憶部を備える。前記情報処理方法は、前記第１の仕様に従った昇降機の第１のＢＩＭパーツを取得する取得ステップを含む。また、前記変換情報に基づいて、前記取得ステップによって取得された前記第１のＢＩＭパーツが有する前記第１の名称情報を、前記第２の名称情報に変換する変換ステップを含む。
【図面の簡単な説明】
【００１１】
【図１】図１は、実施形態の情報処理システムの構成の一例を示すブロック図である。
【図２】図２は、実施形態の価格ライブラリの一例を示す図である。
【図３】図３は、実施形態のエレベータのＢＩＭパーツの一例を示す図である。
【図４】図４は、実施形態のエレベータのＢＩＭパーツの属性情報の一例を示す図である。
【図５】図５は、実施形態の変換データベースの一例を示す図である。
【図６】図６は、実施形態のプロパティの名称変換動作の一例を示す図である。
【図７】図７は、実施形態の仕様比較表の一例を示す図である。
【図８】図８は、本実施形態における第１のＢＩＭパーツの属性情報を元に生成された第２の仕様に従った昇降機のＢＩＭパーツの属性情報の一例を示す図である。
【図９】図９は、実施形態の比較表表示処理の一例を示すフローチャートである。
【図１０】図１０は、実施形態における第１のＢＩＭパーツの属性情報を元にＢＩＭパーツを生成する処理の一例を示すフローチャートである。
【図１１】図１１は、実施形態の変形例の変換データベースの一例を示す図である。
【図１２】図１２は、実施形態の変形例のプロパティの名称情報変換動作の一例を示すフローチャートである。
【発明を実施するための形態】
【００１２】
以下に、本発明にかかる情報処理方法および情報処理装置の実施例を図面に基づいて詳細に説明する。なお、この実施例によりこの発明が限定されるものではない。
【００１３】
ＢＩＭによる設計方法では、各業者にて建物全体のデータである建築物の３次元モデル（すなわち、建築物のＢＩＭモデル）を共有することができる。このため、各業者は、共通のデータ上でそれらの関連性及び整合性を確認することができる。以下では、このＢＩＭを使用した情報処理システムについて説明する。
【００１４】
実施形態について、図１乃至図１０を参照して以下に説明する。なお、本実施形態で例示する情報処理システムにおけるサーバ側と端末側の機能分散の形態は以下に限られず、同様の効果や機能を奏し得る範囲において、任意の単位で機能的または物理的に分散・統合して構成することができる。
【００１５】
まず、本実施形態における情報処理システムの構成の一例について、図１を参照して以下に説明する。図１は、実施形態における情報処理システムの構成の一例を示すブロック図であり、該構成のうち主要な部分を概念的に示している。なお、本実施形態においては、通信型の情報処理システムを具体例として説明するが、これに限ることなく、スタンドアロン型の情報処理システムなどにも適用可能である。
【００１６】
図１に示すように、本実施形態の情報処理システムは、サーバ装置２００と、端末装置１００と、を備え、これらは、ネットワーク３００を介して、相互に通信可能に接続されている。なお、ネットワーク３００を介したサーバ装置２００と端末装置１００との通信形態は任意であり、無線通信であってもよいし有線通信であってもよい。サーバ装置２００は、端末装置１００からの要求に応じて、昇降機のＢＩＭパーツを作成し、端末装置１００へ送信する等の機能を有する。端末装置１００は、複数のＢＩＭパーツを取得し、取得したＢＩＭパーツを比較するための表示を行う等の機能を有する。詳細な機能については後述する。
【００１７】
次に、サーバ装置２００の構成について説明する。図１に示すように、サーバ装置２００は、制御部２０２と、通信制御インターフェース部２０４、記憶部２０６とを少なくとも備える。
【００１８】
通信制御インターフェース部２０４は、通信回線や電話回線等に接続されるアンテナやルータ等の通信装置（図示せず）に接続されるインターフェースであり、サーバ装置２００とネットワーク３００との間における通信制御を行う機能を有する。
【００１９】
記憶部２０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージである。記憶部２０６は、パーツ情報データベース２０６ａと、価格ライブラリ２０６ｂと、を備える。
【００２０】
パーツ情報データベース２０６ａは、昇降機のＢＩＭパーツを作成するためのパーツ情報を記憶する。本実施形態において、昇降機は、エレベータおよび乗客コンベアを含む概念であり、乗客コンベアは、エスカレータおよび動く歩道を含む。ここで、パーツ情報は、利用者が昇降機のＢＩＭパーツを設計する上で必要となるあらゆる情報を含む。パーツ情報としては、例えば、用途、定員、積載量、動作速度、色、機種等といった昇降機の仕様、昇降機を建築物に設置する際に必要とされるスペース、寸法、各種付属設備に関する情報、価格、質量、色、素材、固有振動数といった情報、更に、納期、在庫状況、据付時間、仕上げ材、メーカ情報、品番型番などが含まれているが、上記に限定されない。
【００２１】
本実施形態において、パーツ情報は、ＢＩＭパーツのサイズ情報を含む。ここで、ＢＩＭパーツのサイズ情報は、ＢＩＭパーツを構成する各ユニットのサイズ情報も含む。ＢＩＭパーツを構成する各ユニットとしては、例えば、本実施形態のように昇降機がエレベータである場合には、昇降路、乗りかご、カウンタウェイト、メインロープ、巻上機、ガイドレール、乗り場ホール関連品、機械室、制御盤、電源設備、各種配線配管等が挙げられる。また、ＢＩＭパーツを構成する各ユニットとしては、例えば、昇降機がエスカレータである場合には、トラス、踏段、踏段チェーン、移動手摺、乗降板、欄干、駆動装置、機械室、制御盤、電源設備、各種配線配管等が挙げられる。また、パーツ情報は、例えば、端末に搭載されたＢＩＭのモデリング等を行うＢＩＭアプリケーションによりＢＩＭパーツを変更する際に用いられる設定パラメータを含む。ここで、設定パラメータは、ＢＩＭパーツを構成する各ユニットのサイズ、色、材質、上記各種配線配管等を規定するパラメータを含む。なお、ＢＩＭパーツは、典型的なＢＩＭモデルと同様に、このＢＩＭパーツ自体に対象の昇降機に関連するパーツ情報等を含んでいる。
【００２２】
価格ライブラリ２０６ｂは、後述する第１の仕様とは異なる第２の仕様に従った昇降機のＢＩＭパーツが表す昇降機の価格に関する情報等を記憶する。本実施形態において、価格ライブラリとは、昇降機の価格に関する情報や比較の対象になった回数等の情報を蓄積したデータベースなどのことをいう。価格ライブラリ２０６ｂに含まれる情報としては、例えば、昇降機の型番・仕様・納入価格・ＢＩＭパーツの参照回数の情報などが挙げられるが、上記に限定されない。
【００２３】
本実施形態において、第２の仕様とは、サーバ装置２００が提供するＢＩＭパーツが従っている仕様とする。一方、設計者は、サーバ装置２００以外が提供したＢＩＭパーツについても比較検討を行う。そこで、本実施形態では、サーバ装置２００以外が提供しているＢＩＭパーツについては、例えば、第２の仕様と異なる第１の仕様に従っているものとする。例えば、第２の仕様と第１の仕様の違いは、メーカによって異なる昇降機の仕様の違いとしてもよい。
【００２４】
図２は、本実施形態における価格ライブラリの一例を示す図である。本実施形態において、価格ライブラリ２０６ｂは、第２の仕様に従った昇降機のＢＩＭパーツが表す昇降機の型番・仕様・納入価格・ＢＩＭパーツの参照回数の情報等を記憶する。また、価格ライブラリ２０６ｂは、後述する仕様比較表を表示する際、比較する項目名を選択した場合の各項目名の選択回数等の情報を含んでいてもよい。価格ライブラリ２０６ｂの情報は、第２の仕様に従った昇降機のＢＩＭパーツが表す昇降機の見積金額の算出に用いられる他、製品開発の場などにおいても活用される。具体的には、昇降機の型番・仕様・実際の納入価格の情報により、過去の実績から、情報が蓄積されている昇降機について見積金額を算出すること等が可能になる。また、昇降機の型番・仕様毎のＢＩＭパーツの参照回数の情報により、どのような仕様の昇降機の注目度が高いか等の情報を得ることが可能になる。これらの情報を蓄積していくことで、より精度の高い見積価格を提示したり、よりユーザのニーズにあった製品を開発するための情報を得たりすることができようになる。
【００２５】
制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。図１に示すように、制御部２０２は、これらのプログラム等により、種々の処理を実行するための情報処理を行う。制御部２０２は、作成条件受信部２０２ａ、ＢＩＭパーツ作成部２０２ｂ、算出部２０２ｃ、情報送受信部２０２ｄを備える。
【００２６】
作成条件受信部２０２ａは、後述の端末装置１００から送信される作成条件を受信する。ここで、作成条件は、第２の仕様に従った昇降機のＢＩＭパーツを作成するための条件である。作成条件は、例えば、色、素材、納期、利用者の嗜好性等のうちの少なくとも１つを含んでもよい。また、作成条件は、後述する端末装置１００の作成条件生成部１０２ｅにより生成され、端末装置１００の作成条件送信部１０２ｆにより送信されたものである。
【００２７】
ＢＩＭパーツ作成部２０２ｂは、昇降機のＢＩＭパーツを作成する。具体的には、作成条件受信部２０２ａにより受信された作成条件に対応する第２の仕様に従った昇降機のＢＩＭパーツを、パーツ情報データベース２０６ａに記憶されたパーツ情報を用いて作成する。ＢＩＭパーツ作成部２０２ｂは、例えば、図３に示すようなエレベータの３次元のＢＩＭパーツを作成する。ここで、図３は、エレベータのＢＩＭパーツの一例を示す図である。図３の左側は、昇降路、乗りかご、ガイドレール等のユニットから構成されるＢＩＭパーツであり、図３の右側は、乗り場ホーム関連品の一例として、乗降口のドアのユニット等から構成されるＢＩＭパーツである。ＢＩＭパーツ作成部２０２ｂは、作成条件に最も合致する第２の仕様に従った昇降機のＢＩＭパーツを作成する。また、ＢＩＭパーツ作成部２０２ｂは、作成した第２の仕様に従った昇降機のＢＩＭパーツを記憶部２０６に格納して、ＢＩＭパーツデータベース（図示せず）を構築してもよい。
【００２８】
本実施形態において、作成されたＢＩＭパーツには属性情報が含まれている。図４は、エレベータのＢＩＭパーツに含まれる属性情報の一例を示す図である。ここで、属性情報とは、エレベータの仕様等を表す情報であり、プロパティとプロパティに設定された名称情報の組み合わせの集合を含む。名称情報とは、プロパティを表す名称を示す情報とする。例えば、壁の厚さを表す数値（プロパティ）と壁厚（名称情報）との組み合わせにより、エレベータの仕様の一つであるエレベータの壁の厚さについて表現することができる。各名称情報には、さらにカテゴリが設定されている場合もある。名称情報は、拘束、構成、寸法、マテリアル等の大項目名（カテゴリ）と、壁厚、階高、容積、ドア色等の小項目名との組み合わせとして設定されていてもよい。
【００２９】
算出部２０２ｃは、昇降機のＢＩＭパーツが表す昇降機の価格を算出する。具体的には、算出部２０２ｃは、第２の仕様に従った昇降機のＢＩＭパーツが表す昇降機の見積金額送信要求を、後述する情報送受信部２０２ｄが受信した場合、第２の仕様に従ったＢＩＭパーツが表す昇降機の見積金額を算出する。より具体的には、算出部２０２ｃは、価格ライブラリ２０６ｂの納入価格を参照して、第２の仕様に従った昇降機のＢＩＭパーツが表す昇降機の見積金額を算出する。ここで、算出方法としては、例えば、価格ライブラリ２０６ｂの納入価格を検索して、同一の型番・同一の仕様の昇降機があれば、その納入価格を見積金額として算出し、同一の型番・同一の仕様の昇降機がない場合は、同一の型番で近い仕様の昇降機の納入価格を見積金額として算出することなどが挙げられる。
【００３０】
情報送受信部２０２ｄは、各種の情報を送受信する。具体的には、ＢＩＭパーツ作成部２０２ｂにより作成された第２の仕様に従った昇降機のＢＩＭパーツ等を含むサーバ装置２００の計算結果を端末装置１００に送信したり、算出部２０２ｃにより、算出された見積金額を含むサーバ装置２００の計算結果を端末装置１００に送信したり、端末装置１００より送信される第２の仕様に従った昇降機のＢＩＭパーツが有する属性情報を受信したりする。より具体的には、情報送受信部２０２ｄは、第２の仕様に従った昇降機のＢＩＭパーツを、端末装置１００に送信する。また、情報送受信部２０２ｄは、端末装置１００より送信される第２の仕様に従った昇降機のＢＩＭパーツが有する属性情報および第２の仕様に従った昇降機のＢＩＭパーツが表す昇降機の見積金額送信要求を受信する。また、情報送受信部２０２ｄは、算出部２０２ｃにより第２の仕様に従った昇降機のＢＩＭパーツが表す昇降機の見積金額を、端末装置１００に送信する。
【００３１】
本実施形態のサーバ装置２００は、端末装置１００から送信されるＢＩＭパーツ作成条件に対応する第２の仕様に従った昇降機のＢＩＭパーツを作成し、その作成したＢＩＭパーツを端末装置１００へ送信するが、これに限らず、例えばサーバ装置２００は、端末装置１００から第２の仕様に従った昇降機のＢＩＭパーツの送信要求を受信し、作成済みのＢＩＭパーツが格納されたＢＩＭパーツデータベースを参照して、送信要求に対応するＢＩＭパーツを端末装置１００へ送信する形態であってもよい。
【００３２】
続いて、端末装置１００の構成を説明する。端末装置１００は、例えば、一般に市販されるデスクトップ型またはノート型のパーソナルコンピュータ等の情報処理装置、携帯電話、スマートフォン、ＰＨＳ、およびＰＤＡ等の携帯端末装置等である。端末装置１００は、制御部１０２、通信制御インターフェース部１０４、記憶部１０６、入出力制御インターフェース部１０８を備える。制御部１０２と記憶部１０６は、比較ツール１１０として機能する。なお、端末装置１００は、インターネットブラウザ等を搭載していてもよく、ＢＩＭアプリケーション等を搭載していてもよい。また、端末装置１００は、表示部１１４と音声出力部１１６とを少なくとも含む出力部を備えていてもよい。さらに、端末装置１００は、データ入力等を行う入力部１１８を備えていてもよい。
【００３３】
表示部１１４は、アプリケーション等の表示画面を表示する表示手段（例えば、液晶または有機ＥＬ等から構成されるディスプレイ、モニタ、および、タッチパネル等）であってもよい。音声出力部１１６は、音声情報を音声として出力する音声出力手段（例えば、スピーカ等）であってもよい。入力部１１８は、例えば、キー入力部、タッチパネル、コントロールパッド（例えば、タッチパッド、および、ゲームパッド等）、マウス、キーボード、および、マイク等であってもよい。入出力制御インターフェース部１０８は、表示部１１４、音声出力部１１６、および、入力部１１８等の制御を行う。
【００３４】
通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。
【００３５】
記憶部１０６は、ＨＤＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージである。記憶部１０６は、各種のファイル等を一時的に記憶するものであってもよい。記憶部１０６は、変換データベース１０６ａ、ＢＩＭパーツファイル１０６ｂ、仕様比較表ファイル１０６ｃを備える。
【００３６】
変換データベース１０６ａは、後述する第１の名称情報と第２の名称情報を対応付けた変換情報を記憶する。図５は、本実施形態における変換データベース１０６ａの一例を示す図である。本実施形態において、変換データベース１０６ａは、第２の名称情報に相当する項目名（変換先）と、第１の名称情報に相当する項目名（変換元）とを、対応付けて記憶したものである。
【００３７】
具体的には、第１の名称情報とは、第１の仕様に従った昇降機のＢＩＭパーツが有するプロパティに設定された名称情報とする。また、第２の名称情報とは、第２の仕様に従った昇降機のＢＩＭパーツが有するプロパティに設定された名称情報とする。換言すれば、変換データベース１０６ａとは、第１の仕様に従った昇降機のＢＩＭパーツが有するプロパティに設定された名称情報（変換元）を、第２の仕様に従った昇降機のＢＩＭパーツが有するプロパティに設定された名称情報（変換先）に、変換する際に用いられる。
【００３８】
従来、複数の会社の昇降機を比較参照した場合に、ＢＩＭパーツのプロパティに設定されている名称情報（項目名）が異なると比較するのが難しい。そこで、本実施形態においては、変換データベース１０６ａに格納されている変換情報を用いて、項目名を変換することとした。これによって、異なる会社の昇降機のＢＩＭパーツのプロパティに設定された名称情報（項目名）を一致させることができる。
【００３９】
ＢＩＭパーツファイル１０６ｂは、サーバ装置２００から送信された昇降機のＢＩＭパーツを記憶する。本実施形態において、ＢＩＭパーツファイル１０６ｂは、例えば、端末装置１００からサーバ装置２００に送信した作成条件に対応する第２の仕様に従った昇降機のＢＩＭパーツを格納する。
【００４０】
仕様比較表ファイル１０６ｃは、仕様比較表を記憶する。本実施形態において、仕様比較表とは、複数の昇降機のＢＩＭパーツが有する昇降機の寸法、色等を表したプロパティを比較しやすい形で一覧表示した表などのことをいう。本実施形態において、仕様比較表ファイル１０６ｃは、例えば、仕様比較表をＣＳＶなどのファイル形式で格納する。
【００４１】
制御部１０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。図１に示すように、制御部１０２は、これらのプログラム等により、種々の処理を実行するための情報処理を行う。制御部１０２は、取得部１０２ａ、抽出部１０２ｂ、変換部１０２ｃ、表示制御部１０２ｄ、作成条件生成部１０２ｅ、作成条件送信部１０２ｆ、および、情報送受信部１０２ｇを備える。
【００４２】
取得部１０２ａは、第１の仕様に従った昇降機のＢＩＭパーツまたは第２の仕様に従った昇降機のＢＩＭパーツを取得する。この例では、取得部１０２ａにより取得された、第１の仕様に従った昇降機のＢＩＭパーツを「第１のＢＩＭパーツ」と称し、取得部１０２ａにより取得された、第２の仕様に従った昇降機のＢＩＭパーツを「第２のＢＩＭパーツ」と称する。ここでは、第１のＢＩＭパーツは、第２のＢＩＭパーツと比較されるＢＩＭパーツであることを想定している。
【００４３】
抽出部１０２ｂは、取得部１０２ａにより取得された昇降機のＢＩＭパーツから属性情報を抽出する。本実施形態において、抽出部１０２ｂは、例えば、昇降機のＢＩＭパーツを解析し、属性情報に特有のデータ構造を検索するなどして、様々な情報が含まれている昇降機ＢＩＭパーツから、昇降機の寸法、色、素材等を表すプロパティを含む属性情報を取り出す。
【００４４】
変換部１０２ｃは、上述の変換情報に基づいて、取得部１０２ａによって取得された第１のＢＩＭパーツが有する第１のプロパティに設定された第１の名称情報を、第２の仕様に従った昇降機のＢＩＭパーツが有する第２のプロパティに設定された第２の名称情報に変換する。以下では、第１の名称情報を「第１の項目名」と称し、第２の名称情報は「第２の項目名」と称する。具体的には、変換部１０２ｃは、取得部１０２ａにより取得された第１のＢＩＭパーツから、抽出部１０２ｂが抽出した属性情報の第１の項目名を、第２の項目名に変換する。図６は、本実施形態におけるプロパティに設定された名称情報の変換処理の一例を示す図である。図６の左側は、項目名を変換する前の第１のＢＩＭパーツが有する属性情報である。変換部１０２ｃは、変換データベース１０６ａを参照し、第１の項目名を第２の項目名に変換する。例えば、図５の変換データベースを用いたとすると、「大項目名：寸法、小項目名：乗場_壁厚」が「大項目名：拘束、小項目名：壁厚」へと変換されるなどして、第１のＢＩＭパーツが有する属性情報は、図６の右側のような状態になる。
【００４５】
また、表示制御部１０２ｄは、変換部１０２ｃにより、第１のＢＩＭパーツが有する第１のプロパティの集合と、第２のＢＩＭパーツが有する第２のプロパティの集合とを、仕様比較表として一覧表示する。この場合、表示制御部１０２ｄは、第１のＢＩＭパーツと第２のＢＩＭパーツで共通する第２の項目名と、該第２の項目名に対応する第２のプロパティと、変換部１０２ｃにより該第２の項目名に変換された第１の項目名に対応する第１のプロパティとを、並べて表示する。ここで「並べて表示する」とは、例えば、第１のＢＩＭパーツと第２のＢＩＭパーツで共通する第２の項目名と、該第２の項目名に対応する第２のプロパティと、変換部１０２ｃにより該第２の項目名に変換された第１の項目名に対応する第１のプロパティとが、水平方向の同一直線上に並ぶように配置して表示することである。また、表示制御部１０２ｄは、後述する情報送受信部１０２ｇがサーバ装置２００から受信した第２の仕様に従った昇降機のＢＩＭパーツが表す昇降機の見積金額を、その第２の仕様に従った昇降機のＢＩＭパーツが表す昇降機を識別する情報と対応付けて表示する。なお、第２の仕様に従った昇降機のＢＩＭパーツが表す昇降機の見積金額については、仕様比較表の最下行等に「見積金額」の項目を設け、第２のＢＩＭパーツの属性情報と共に表示してもよい。また、表示制御部１０２ｄは、ユーザにより単数または複数の比較する項目名が選択された場合は、選択された単数または複数の項目名に対応するプロパティのみを一覧表示する。なお、表示する項目名だけでなく、表示する順番も指定できるようにしてもよい。
【００４６】
図７は、本実施形態における仕様比較表の一例を示す図である。図７に示すＢ社の昇降機のＢＩＭパーツの仕様は、第１の仕様の一例とし、Ａ社の昇降機のＢＩＭパーツの仕様は、第２の仕様の一例とする。この例では、基準となるＡ社の昇降機のＢＩＭパーツの仕様（第２の仕様の一例）に従い、Ａ社の昇降機のＢＩＭパーツ（第２の仕様の昇降機のＢＩＭパーツの一例）とＢ社の昇降機のＢＩＭパーツ（第１の仕様の昇降機のＢＩＭパーツの一例）を比較する仕様比較表を表示している。仕様比較表の一番左側には、Ａ社の昇降機のＢＩＭパーツに設定された項目名に従って、各プロパティに設定された項目名が表示される。その右側には、項目名に対応する形で、Ａ社の昇降機のＢＩＭパーツが有する各プロパティを配置している。さらに、その右側には、Ａ社の昇降機のＢＩＭパーツの仕様に従い、各プロパティの項目名を変更したＢ社の昇降機のＢＩＭパーツが有するプロパティを、一番左側に表示された項目名と対応する形で配置している。このとき、Ａ社の昇降機のＢＩＭパーツが有するプロパティに設定された項目名と、対応するＡ社の昇降機のＢＩＭパーツが有するプロパティと、対応するＢ社の昇降機のＢＩＭパーツが有するプロパティとを、水平方向の同一直線上に並べて配置している。なお、この例では、２つの昇降機の仕様等を比較する仕様比較表を表示しているが、３つ以上の昇降機の仕様等を比較する仕様比較表を表示してもよい。
【００４７】
作成条件生成部１０２ｅは、第２の仕様に従った昇降機のＢＩＭパーツの作成条件を生成する。より具体的には、作成条件生成部１０２ｅは、変換部１０２ｃにより、第１の項目名を第２の項目名に変換された第１のＢＩＭパーツが有する属性情報から、昇降機の寸法、色、素材等の昇降機の仕様等を示す条件として利用できる情報を抽出して、第２の仕様に従った昇降機のＢＩＭパーツを作成するための作成条件を生成する。
【００４８】
作成条件送信部１０２ｆは、作成条件をサーバ装置２００へ送信する。より具体的には、作成条件送信部１０２ｆは、作成条件生成部１０２ｅにより、第１の項目名を第２の項目名に変換された第１のＢＩＭパーツが有する属性情報を元に生成した作成条件を、サーバ装置２００へ送信する。
【００４９】
例えば、端末装置１００が、Ｂ社の昇降機の第１のＢＩＭパーツ（第１の仕様に従った昇降機のＢＩＭパーツの一例）を有している場合に、第１のＢＩＭパーツに近いプロパティのＡ社の昇降機の第２のＢＩＭパーツ（第２の仕様に従った昇降機のＢＩＭパーツの一例）を取得したい場合がある。このような場合に、後述する情報送受信部１０２ｇが、属性情報を元に生成した作成条件、換言すれば、第１のＢＩＭパーツと同様又は近い属性情報を有するＢＩＭパーツの作成要求を示した作成条件を送信する。これにより、端末装置１００は、Ｂ社の昇降機の第１のＢＩＭパーツに近い仕様のＡ社の昇降機の第２のＢＩＭパーツを受信できる。
【００５０】
情報送受信部１０２ｇは、各種の情報を送受信する。より具体的には、情報送受信部１０２ｇは、端末装置１００から、作成条件に対応する第２の仕様に従った昇降機のＢＩＭパーツを受信する。情報送受信部１０２ｇは、第２の仕様に従った昇降機のＢＩＭパーツが表す昇降機の見積金額の送信要求と共に、送信要求の対象となる昇降機のＢＩＭパーツを特定するための属性情報を、サーバ装置２００に送信する。サーバ装置２００から見積金額送信要求に対応する見積金額を受信する。また、情報送受信部１０２ｇは、仕様比較表が保存された場合、取得された第１のＢＩＭパーツが有する属性情報および第２のＢＩＭパーツが有する属性情報を、サーバ装置２００に送信する。
【００５１】
図８は、本実施形態における第１のＢＩＭパーツの属性情報を元に生成された第２の仕様に従った昇降機のＢＩＭパーツの属性情報の一例を示す図である。図８は、図６で、項目名をＡ社の昇降機のＢＩＭパーツの項目名に変換したＢ社の昇降機のＢＩＭパーツ（第１の仕様に従ったＢＩＭパーツの一例）の属性情報を元に、Ａ社の昇降機のＢＩＭパーツ（第２の仕様に従ったＢＩＭパーツの一例）を生成した場合の例である。この例では、Ｂ社のＤＥＦという昇降機が、Ａ社のＡＢＣという昇降機と同等の仕様であり、ＤＥＦという昇降機のＢＩＭパーツ（第１の仕様に従った昇降機のＢＩＭパーツの一例）の属性情報を元に、ＡＢＣという昇降機のＢＩＭパーツ（第２の仕様に従った昇降機のＢＩＭパーツの一例）を生成している。
【００５２】
本実施形態の端末装置１００は、サーバ装置２００へＢＩＭパーツ作成条件を送信し、サーバ装置２００から送信されるＢＩＭパーツ作成条件に対応する第２の仕様に従った昇降機のＢＩＭパーツを受信するが、これに限らず、例えば端末装置１００は、サーバ装置２００へ第２の仕様に従った昇降機のＢＩＭパーツの送信要求を送信し、サーバ装置２００から送信される送信要求に対応する第２の仕様に従った昇降機のＢＩＭパーツを受信する形態であってもよい。
【００５３】
このように構成された本実施形態における情報処理システムの処理の一例について、以下に図９および図１０を参照して詳細に説明する。ここで、図９は、実施形態の比較表表示処理の一例を示すフローチャートである。また、図１０は、実施形態の本実施形態における第１のＢＩＭパーツの属性情報を元に第２の仕様に従った昇降機のＢＩＭパーツを生成する処理の一例を示すフローチャートである。
【００５４】
図９に示すように、端末装置１００の取得部１０２ａは、第１のＢＩＭパーツおよび第２のＢＩＭパーツを取得する（ステップＳ１０１）。
【００５５】
端末装置１００の抽出部１０２ｂは、ステップＳ１０１で取得した、様々な構成要素を含む第１のＢＩＭパーツから、第１のプロパティを含む属性情報を抽出する。また、抽出部１０２ｂは、第２のＢＩＭパーツから、第２のプロパティを含む属性情報を抽出する（ステップＳ１０２）。
【００５６】
そして、端末装置１００の変換部１０２ｃは、ステップＳ１０２で抽出部１０２ｂが抽出した第１のＢＩＭパーツの属性情報について、端末装置１００の記憶部１０６の変換データベース１０６ａを参照し、変換元となる第１の項目名を、変換先となる第２の項目名に変換する（ステップＳ１０３）。
【００５７】
ここで、ユーザが比較する対象となる項目の絞り込みを希望する場合、端末装置１００の入出力制御インターフェース部１０８は、比較する対象となる項目名の選択を受付ける（ステップＳ１０４）。
【００５８】
まず、比較する対象となる項目名の選択を受付けなかった場合を説明する（Ｓ１０４：ＮＯ）。この場合、端末装置１００の表示制御部１０２ｄは、第１のプロパティの集合と第２のプロパティの集合とを一覧表示する場合に、第１のＢＩＭパーツと第２のＢＩＭパーツで共通する第２の項目名と、該第２の項目名と対応する第２のプロパティと、変換部１０２ｃにより該第２の項目名に変換された第１の項目名と対応する第１のプロパティとを、水平方向の同一直線上に配置して一覧表示する（ステップＳ１０５）。当該一覧表では、第２のＢＩＭパーツが有する全てのプロパティの第２の項目名が表示される。
【００５９】
次に、比較する対象となる項目名の選択を受付けた場合について説明する（Ｓ１０４：ＹＥＳ）。この場合、端末装置１００の表示制御部１０２ｄは、第１のプロパティの集合と第２のプロパティの集合とを一覧表示する場合に、第１のＢＩＭパーツと第２のＢＩＭパーツで共通する第２の項目名と、該第２の項目名と対応する第２のプロパティと、変換部１０２ｃにより該第２の項目名に変換された第１の項目名と対応する第１のプロパティとを、水平方向の同一直線上に配置して一覧表示する（ステップＳ１０６）。当該一覧表では、選択を受付けた項目名と対応するプロパティのみが表示される。
【００６０】
そして、端末装置１００の情報送受信部１０２ｇは、サーバ装置２００に対し、第２のＢＩＭパーツが有する属性情報および第２のＢＩＭパーツが表す昇降機の見積金額の送信を要求する見積金額送信要求を送信する（ステップＳ１０７）。
【００６１】
サーバ装置２００の情報送受信部２０２ｄは、ステップＳ１０７にて端末装置１００の情報送受信部１０２ｇにより送信される第２のＢＩＭパーツが有する属性情報および第２のＢＩＭパーツが表す昇降機の見積金額送信要求を受信する。サーバ装置２００の算出部２０２ｃは、受信した第２のＢＩＭパーツが有する属性情報を元に、価格ライブラリ２０６ｂを参照して、第２のＢＩＭパーツが表す昇降機の見積金額を算出する。そして、サーバ装置２００の情報送受信部２０２ｄは、ステップＳ１０７にて端末装置１００の情報送受信部１０２ｇにより送信された見積金額送信要求に対応する第２のＢＩＭパーツが表す昇降機の見積金額を端末装置１００へ送信する。
【００６２】
端末装置１００の情報送受信部１０２ｇは、サーバ装置２００の情報送受信部２０２ｄにより送信されたステップＳ１０７にて、サーバ装置２００に送信した見積金額送信要求に対応する見積金額を受信する（ステップＳ１０８）。
【００６３】
そして、端末装置１００の表示制御部１０２ｄは、ステップＳ１０８にて、端末装置１００の情報送受信部１０２ｇが受信した見積金額を、ステップＳ１０５またはステップＳ１０６にて、表示制御部１０２ｄにより表示された仕様比較表の項目中に「見積金額」の項目名を設けて、第２のＢＩＭパーツに対応する欄に受信した見積金額を表示させる。
【００６４】
ここで、第１のＢＩＭパーツについては、見積金額の欄が空欄となっているが、この欄はユーザが任意で入力可能である。端末装置１００の入出力制御インターフェース部１０８は、第１のＢＩＭパーツについて、単数または複数の見積金額の入力を受付ける（ステップＳ１１０）。
【００６５】
そして、端末装置１００の記憶部１０６は、表示している仕様比較表を仕様比較表ファイル１０６ｃに格納する（ステップＳ１１１）。
【００６６】
以上で、本実施形態における仕様比較表の表示処理の一例の説明を終える。
【００６７】
続いて、図１０を参照して、本実施形態における第１のＢＩＭパーツの属性情報を元に第２の仕様に従った昇降機のＢＩＭパーツを生成する処理について説明する。
【００６８】
図１０に示すように、端末装置１００の取得部１０２ａは、生成される第２の仕様に従った昇降機のＢＩＭパーツの元となる属性情報を有する第１のＢＩＭパーツを取得する（ステップＳ２０１）。
【００６９】
端末装置１００の抽出部１０２ｂは、ステップＳ２０１で取得した、様々な構成要素を含む第１のＢＩＭパーツから、属性情報を抽出する（ステップＳ２０２）。
【００７０】
そして、端末装置１００の変換部１０２ｃは、ステップＳ２０２で抽出部１０２ｂが抽出した第１のＢＩＭパーツの属性情報について、端末装置１００の記憶部１０６の変換データベース１０６ａを参照し、変換元となる第１の項目名を、変換先となる第２の項目名に変換する（ステップＳ２０３）。
【００７１】
端末装置１００の作成条件生成部１０２ｅは、ステップＳ２０３により、第１の項目名を第２の項目名に変換した第１のＢＩＭパーツが有する属性情報に基づき、第２の仕様に従った昇降機のＢＩＭパーツの作成条件を生成する（ステップＳ２０４）。
【００７２】
次に、端末装置１００の作成条件送信部１０２ｆは、ステップＳ２０４にて、作成条件生成部１０２ｅにより生成された作成条件をサーバ装置２００へ送信する（ステップＳ２０５）。
【００７３】
サーバ装置２００の作成条件受信部２０２ａは、ステップＳ２０５にて作成条件送信部１０２ｆの処理により送信される作成条件を受信する。
【００７４】
そして、サーバ装置２００のＢＩＭパーツ作成部２０２ｂは、作成条件受信部２０２ａの処理により受信された作成条件に対応する第２の仕様に従った昇降機のＢＩＭパーツを、パーツ情報データベース２０６ａに記憶されたパーツ情報を用いて作成する。
【００７５】
サーバ装置２００の情報送受信部２０２ｄは、ＢＩＭパーツ作成部２０２ｂの処理により作成された第２の仕様に従った昇降機のＢＩＭパーツを端末装置１００へ送信する。
【００７６】
端末装置１００の情報送受信部１０２ｇは、サーバ装置２００の情報送受信部２０２ｄの処理によりサーバ装置２００から送信された第２の仕様に従った昇降機のＢＩＭパーツを受信する（ステップＳ２０６）。
【００７７】
端末装置１００の記憶部１０６は、サーバ装置２００から受信された第２の仕様に従った昇降機のＢＩＭパーツを、ＢＩＭパーツファイル１０６ｂに格納する（ステップＳ２０７）。
【００７８】
なお、本実施形態において、端末装置１００の情報送受信部１０２ｇは、ステップＳ２０３の後、サーバ装置２００に対し、ステップＳ２０３により第１の項目名が第２の項目名に変換された第１のＢＩＭパーツが有する属性情報に相当する属性情報を有する第２の仕様に従った昇降機のＢＩＭパーツの送信要求を送信してもよい。この場合、サーバ装置２００は、記憶部２０６にＢＩＭパーツデータベースを有しており、サーバ装置２００の情報送受信部２０２ｄは、ＢＩＭパーツデータベースから、受信した第２の仕様に従った昇降機のＢＩＭパーツの送信要求に対応する第２の仕様に従った昇降機のＢＩＭパーツを端末装置１００に送信する。この後の処理については、上述したステップＳ２０６以降と同様である。
【００７９】
以上で、本実施形態における情報処理システムの処理の一例の説明を終える。
【００８０】
以上に説明したように、本実施形態の情報処理システムでは、第１の仕様に従った第１のプロパティに設定された第１の名称情報と、第２の仕様に従った第２のプロパティに設定された第２の名称情報とを対応付けた変換情報を有し、取得した第１のＢＩＭパーツが有する第１のプロパティに設定された第１の名称情報を第２の名称情報に変換することができる。そのため、第１のＢＩＭパーツが有する第１プロパティに設定された第１の名称情報と、第２のＢＩＭパーツが有する第２プロパティに設定された第２の名称情報とが異なる場合であっても、第２の名称情報に統一することができ、専門知識や経験がなくても、第１のＢＩＭパーツが有する第１のプロパティと第２のＢＩＭパーツが有する第２のプロパティとを、容易に比較できる。
【００８１】
また、本実施形態の情報処理システムでは、第１のＢＩＭパーツが有する第１のプロパティの集合と、第２のＢＩＭパーツが有する第２のプロパティの集合とを一覧表示する場合において、当該一覧表示に含まれる第１のＢＩＭパーツと第２のＢＩＭパーツで共通する第２の名称情報と、該第２の名称情報に対応する第２のプロパティと、変換部１０２ｃにより第２の名称情報に変換された第１の名称情報に対応する第１のプロパティとを、並べて表示する（表示位置を同一直線上に揃える）ので、第１のＢＩＭパーツおよび第２のＢＩＭパーツの各々が有するプロパティのうち名称情報（第２の名称情報）が共通するプロパティ同士をより容易に比較できる。
【００８２】
（変形例）
上述した実施形態では、変換データベース１０６ａに対応する項目名が登録されている場合について説明した。しかしながら、ＢＩＭパーツのプロパティの項目名が変更される可能性や、様々な状況によって、対応関係が変換データベース１０６ａに登録されていない場合もある。そこで変形例では、変換データベース１０６ａに項目名の対応関係が登録されていない場合について説明する。
【００８３】
取得部１０２ａは、第１の仕様に従った昇降機のＢＩＭパーツ、第２の仕様に従った昇降機のＢＩＭパーツ以外の第３の仕様に従った昇降機のＢＩＭパーツを取得することもできる。この場合において、取得部１０２ａが取得した第３の仕様に従った昇降機のＢＩＭパーツを「第３のＢＩＭパーツ」と称する。変換部１０２ｃは、変換情報に含まれる第１の名称情報の中に、第３のＢＩＭパーツが有する第３のプロパティに設定されている第３の名称情報が存在しない場合、第３の名称情報を、変換情報に含まれる第２の名称情報のうち第３の名称情報と共通の文字列を有する第２の名称情報に変換する。変換部１０２ｃは、第３の名称情報と共通する文字列を有する前記第２の名称情報が複数あるとき、いずれか一つの第２の名称情報の選択を受付け、第３の名称情報を、受付けた第２の名称情報に変換する。表示制御部１０２ｄは、複数の第２の項目名の各々の定義を表示する。また、変換部１０２ｃは、第２の項目名に対応するプロパティが予め定めた基準の範囲内にない場合は、変換先の候補から除外する。
【００８４】
以下、変形例におけるプロパティの名称情報の変換処理の一例を図１１および図１２を参照して、詳細に説明する。
【００８５】
図１１は、変形例における変換データベースの一例を示す図である。図１１に示すように、変形例において、変換データベース１０６ａは、変換先となる第２の項目名に、その項目名の定義を有している。他の点については、上述の実施形態と変わるところはない。
【００８６】
つまり、変換データベース１０６ａは、第１の項目名と、第２の項目名と、の対応関係のみならず、第２の項目名と、第２の項目名の定義を示した定義情報と、を対応づけている。このため、本変形例では、ＢＩＭパーツのプロパティに設定された項目名（名称情報）が、第１の項目名として、変換データベース１０６ａに登録されていない場合に、当該定義情報に基づいて、項目名間の対応関係を特定できる。
【００８７】
図１２は、変形例におけるプロパティ名称の変換処理の一例を示すフローチャートである。なお、変形例におけるプロパティ名称の変換処理は、図９で示した仕様比較表表示処理フローチャートのステップＳ１０３から派生する処理である。
【００８８】
図１２に示すように、まず、端末装置１００の変換部１０２ｃは、取得部１０２ａが取得した第３のＢＩＭパーツが有する第３のプロパティの第３の項目名が、変換データベース１０６ａの変換元となる第１の項目名の中に存在しているかを確認する（ステップＳ１０３ａ）。
【００８９】
第３の項目名が、変換データベース１０６ａの第１の項目名の中に存在しない場合を説明する（ステップＳ１０３ａ：ＮＯ）。
【００９０】
この場合、変換部１０２ｃは、変換データベース１０６ａの変換先となる第２の項目名を検索し、第３の項目名と共通する文字列を有する第２の項目名が存在するかを確認する（ステップＳ１０３ｂ）。
【００９１】
第３の項目名と共通する文字列を有する第２の項目名が存在する場合を説明する（ステップＳ１０３ｂ：ＹＥＳ）。
【００９２】
この場合、変換部１０２ｃは、変換先となる第２の項目名の候補が複数存在するかを確認する（ステップＳ１０３ｃ）。
【００９３】
第２の項目名の候補が複数存在する場合を説明する（ステップＳ１０３ｃ：ＹＥＳ）。
【００９４】
この場合、変換部１０２ｃは、第２の項目名の候補のうち、その第２の項目名に対応するプロパティが予め定めた基準の範囲内にあるかを確認し、予め定めた基準の範囲内にない場合は、その第２の項目名を候補から除外する（ステップＳ１０３ｄ）。ここで、基準としては、例えば、第３の項目名に対応するプロパティの数値と、第２の項目名に対応するプロパティの数値との差が一定の数値範囲にない場合、変換先の候補から除外することなどが挙げられる。
【００９５】
変換部１０２ｃは、再び、変換先となる第２の項目名の候補が存在するかを確認する（ステップＳ１０３ｅ）。
【００９６】
第２の項目名の候補が存在する場合を説明する（ステップＳ１０３ｅ：ＹＥＳ）。
【００９７】
この場合、変換部１０２ｃは、再び、変換先となる第２の項目名の候補が複数存在するかを確認する（ステップＳ１０３ｆ）。
【００９８】
第２の項目名の候補が複数存在する場合を説明する（ステップＳ１０３ｆ：ＹＥＳ）。
【００９９】
この場合、表示制御部１０２ｄは、変換データベース１０６ａを参照し、変換先の候補となっている第２の項目名それぞれについて、定義を表示させる（ステップＳ１０３ｇ）。ここで、表示された定義は、ユーザによる第２の項目名の選択を補助する役割をもっている。
【０１００】
そして、端末装置１００の入出力制御インターフェース部１０８は、ユーザによる第２の項目名の選択を受付ける（ステップＳ１０３ｉ）。
【０１０１】
変換先となる第２の項目名が確定する（ステップＳ１０３ｋ）。
【０１０２】
変換部１０２ｃは、第３の項目名を、Ｓ１０３ｉで確定した第２の項目名に変換する（ステップＳ１０３ｌ）。
【０１０３】
ここで、ステップＳ１０４、ステップＳ１０５、ステップＳ１０６については、図９と同様のため、説明を省略する。
【０１０４】
表示制御部１０２ｄは、複数の第２の項目名から選択して、第３の項目名を第２の項目名に変換した場合、プロパティにアラートを表示して、本処理を終了する（ステップＳ１０５ａ）。
【０１０５】
続いて、ステップＳ１０３ｃにおいて、第２の項目名が一つしか存在しない場合について説明する（ステップＳ１０３ｃ：ＮＯ）。
【０１０６】
この場合、変換部１０２ｃは、候補となっている第２の項目名に対応するプロパティが予め定めた基準の範囲内にあるかを確認する（ステップＳ１０３ｈ）。
【０１０７】
候補となっている第２の項目名に対応するプロパティが予め定めた基準の範囲内にある場合を説明する（ステップＳ１０３ｈ：ＹＥＳ）。
【０１０８】
この場合、変換先となる第２の項目名が確定する（ステップＳ１０３ｋ）。以下のステップＳ１０３ｌ〜ステップＳ１０５ａについては、Ｓ１０３ｃにおいて、第２の項目名が複数あった場合と同様のため、説明を省略する。
【０１０９】
続いて、ステップＳ１０３ｆにおいて、第２の項目名が一つしか存在しない場合について説明する（ステップＳ１０３ｆ：ＮＯ）。
【０１１０】
この場合、変換先となる第２の項目名が確定する（ステップＳ１０３ｋ）。以下のステップＳ１０３ｌ〜ステップＳ１０５ａについては、Ｓ１０３ｃにおいて、第２の項目名が複数あった場合と同様のため、説明を省略する。
【０１１１】
続いて、ステップＳ１０３ｂにおいて、第３の項目名と共通の文字列を有する第２の項目名が存在しない場合（ステップＳ１０３ｂ：ＮＯ）、ステップＳ１０３ｅにおいて、候補となる第２の項目名が存在しない場合（ステップＳ１０３ｅ：ＮＯ）、ステップＳ１０３ｈにおいて、候補となっている第２の項目名に対応するプロパティが予め定めた基準の範囲内にない場合（ステップＳ１０３ｈ：ＮＯ）について説明する。これらの場合、いずれにおいても、第３の項目名の変換は行わず、これに対応するプロパティについては非表示とし、本処理を終了する（ステップＳ１０３Ｊ）。
【０１１２】
最後に、ステップＳ１０３ａにおいて、第３の項目名が、変換データベース１０６ａの第１の項目名の中に存在する場合（ステップＳ１０３ａ：ＹＥＳ）は、図９のステップＳ１０３と同様の処理を行うことになるため、説明は省略する。
【０１１３】
なお、ここでは、仕様比較表の表示処理における項目名の変換処理について説明したが、ＢＩＭパーツの生成処理における項目名の変換処理においても、同様の処理が行われることになる。
【０１１４】
本変形例によれば、第３の仕様に従った昇降機のＢＩＭパーツが有する第３のプロパティに設定された第３の項目名を変換する際、記憶部の変換情報に、第２の項目名に対応付けた第１の項目名が存在しない場合であっても、第３の項目名を第２の項目名に変換することができるため、ＢＩＭパーツ同士のプロパティの比較が容易になる。
【０１１５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１１６】
例えば、上述の実施形態では、昇降機としてエレベータを例にして説明したが、エスカレータ、動く歩道等の乗客コンベアについても同様に本発明を適用できる。
【０１１７】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１１８】
この他、上記文献中や図面中で示した処理手順、制御手順、具体的名称、各処理の登録データや検索条件等のパラメータを含む情報、画面例、データベース構成については、特記する場合を除いて任意に変更することができる。
【０１１９】
また、端末装置１００およびサーバ装置２００に関して、図示の各構成要素は機能概念的なものであり、必ずしも物理的に図示の如く構成されていることを要しない。
【０１２０】
例えば、端末装置１００およびサーバ装置２００が備える処理機能、特に制御部１０２および制御部２０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。なお、プログラムは、後述する記録媒体に記録されており、必要に応じて端末装置１００およびサーバ装置２００に機械的に読み取られる。すなわち、ＲＯＭまたはＨＤＤなどの記憶部１０６および記憶部２０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１２１】
また、このコンピュータプログラムは、端末装置１００およびサーバ装置２００に対して任意のネットワーク３００を介して接続されたアプリケーションプログラムサーバに記憶されていてもよく、必要に応じてその全部または一部をダウンロードすることも可能である。
【０１２２】
また、本発明に係るプログラムを、コンピュータで読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ（登録商標）  Ｄｉｓｃ等の任意の「可搬用の物理媒体」を含むものとする。
【０１２３】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１２４】
記憶部１０６および記憶部２０６に格納される各種のデータベース等（変換データベース１０６ａ、ＢＩＭパーツファイル１０６ｂ、仕様比較表ファイル１０６ｃ、パーツ情報データベース２０６ａ、価格ライブラリ２０６ｂ）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１２５】
また、端末装置１００およびサーバ装置２００は、既知のパーソナルコンピュータ、ワークステーション等の情報処理装置として構成してもよく、また、該情報処理装置に任意の周辺装置を接続して構成してもよい。また、端末装置１００およびサーバ装置２００は、該情報処理装置に本発明の方法を実現させるソフトウェア（プログラム、データ等を含む）を実装することにより実現してもよい。
【０１２６】
更に、装置の分散・統合の具体的形態は図示するものに限られず、その全部または一部を、各種の付加等に応じて、または、機能負荷に応じて、任意の単位で機能的または物理的に分散・統合して構成することができる。
【０１２７】
以上で説明した実施形態、変形例に係る情報処理方法および情報処理装置によれば、その結果、簡易に昇降機の仕様・コストを比較することができる。
【符号の説明】
【０１２８】
１００  端末装置
１０２  制御部
１０２ａ  取得部
１０２ｂ  抽出部
１０２ｃ  変換部
１０２ｄ  表示制御部
１０２ｅ  作成条件生成部
１０２ｆ  作成条件送信部
１０２ｇ  情報送受信部
１０４  通信制御インターフェース部
１０６  記憶部
１０６ａ  変換データベース
１０６ｂ  ＢＩＭパーツファイル
１０６ｃ  仕様比較表ファイル
１０８  入出力制御インターフェース部
１１０  比較ツール
１１４  表示部
１１６  音声出力部
１１８  入力部
２００  サーバ装置
２０２  制御部
２０２ａ  作成条件受信部
２０２ｂ  ＢＩＭパーツ作成部
２０２ｃ  算出部
２０２ｄ  情報送受信部
２０４  通信制御インターフェース部
２０６  記憶部
２０６ａ  パーツ情報データベース
２０６ｂ  価格ライブラリ
【図１】
2020201768.tif 000003
【図２】
2020201768.tif 000004
【図３】
2020201768.tif 000005
【図４】
2020201768.tif 000006
【図５】
2020201768.tif 000007
【図６】
2020201768.tif 000008
【図７】
2020201768.tif 000009
【図８】
2020201768.tif 000010
【図９】
2020201768.tif 000011
【図１０】
2020201768.tif 000012
【図１１】
2020201768.tif 000013
【図１２】
2020201768.tif 000014
【手続補正書】
【提出日】令和2年10月13日(2020.10.13)
【手続補正１】
【補正対象書類名】特許請求の範囲
【補正対象項目名】全文
【補正方法】変更
【補正の内容】
【特許請求の範囲】
【請求項１】
情報処理装置で実行される情報処理方法であって、
前記情報処理装置は、第１の仕様に従った昇降機のＢＩＭパーツが有する第１のプロパティに設定されている第１の名称情報と、第２の仕様に従った昇降機のＢＩＭパーツが有する第２のプロパティに設定されている第２の名称情報と、を対応付けた変換情報を記憶する記憶部を備え、
前記第１の仕様に従った昇降機の第１のＢＩＭパーツおよび前記第２の仕様に従った昇降機の第２のＢＩＭパーツを取得する取得ステップと、
前記変換情報に基づいて、前記取得ステップによって取得された前記第１のＢＩＭパーツが有する前記第１の名称情報を、前記第２の名称情報に変換する変換ステップと、
前記第１のＢＩＭパーツが有する前記第１のプロパティの集合と、前記第２のＢＩＭパーツが有する前記第２のプロパティの集合と、を一覧表示する場合に、当該一覧表示に含まれる第１のＢＩＭパーツと第２のＢＩＭパーツに共通する前記第２の名称情報と、前記第２の名称情報に対応する前記第２のプロパティと、前記変換ステップにより前記第２の名称情報に変換された前記第１の名称情報に対応する前記第１のプロパティとを、並べて表示する表示ステップと、を含む、
情報処理方法。
【請求項２】
情報処理装置で実行される情報処理方法であって、
前記情報処理装置は、第１の仕様に従った昇降機のＢＩＭパーツが有する第１のプロパティに設定されている第１の名称情報と、第２の仕様に従った昇降機のＢＩＭパーツが有する第２のプロパティに設定されている第２の名称情報と、を対応付けた変換情報を記憶する記憶部を備え、
前記第１の仕様に従った昇降機の第１のＢＩＭパーツを取得する取得ステップと、
前記変換情報に基づいて、前記取得ステップによって取得された前記第１のＢＩＭパーツが有する前記第１の名称情報を、前記第２の名称情報に変換する変換ステップと、
ＢＩＭパーツを管理するサーバ装置に対し、前記変換ステップにより、前記第１の名称情報を前記第２の名称情報に変換した前記第１のＢＩＭパーツに相当する、前記第２の仕様に従った昇降機の第２のＢＩＭパーツの送信要求を送信するＢＩＭパーツ送信要求送信ステップと、
前記サーバ装置から、前記送信要求に対応する、前記第２のＢＩＭパーツを受信するＢＩＭパーツ受信ステップと、を含む、
情報処理方法。
【請求項３】
価格情報を管理するサーバ装置に対し、前記第２のＢＩＭパーツが表す昇降機の見積金額の送信を要求する見積金額送信要求送信ステップと、
前記サーバ装置から、前記見積金額の送信の要求に対応する、前記見積金額を受信する見積金額受信ステップと、をさらに含み、
前記表示ステップは、前記第２のＢＩＭパーツが表す昇降機を識別する情報と前記見積金額とを対応付けて表示する、請求項１に記載の情報処理方法。
【請求項４】
前記表示ステップは、前記第１のＢＩＭパーツが有する前記第１のプロパティの集合と、前記第２のＢＩＭパーツが有する前記第２のプロパティの集合と、を一覧表示する場合に、該一覧表示された前記第２のプロパティの集合に対応する複数の前記第２の名称情報の中から単数または複数の前記第２の名称情報の選択を受付けたとき、該選択を受付けた前記第２の名称情報に対して、前記第２のプロパティと、前記変換ステップにより、前記第１の名称情報が前記第２の名称情報に変換された前記第１のプロパティと、を対応付けて表示する、請求項１又は３に記載の情報処理方法。
【請求項５】
前記取得ステップは、第３の仕様に従った昇降機の第３のＢＩＭパーツを取得し、
前記変換ステップは、前記変換情報に含まれる前記第１の名称情報の中に、前記第３のＢＩＭパーツが有する第３のプロパティに設定されている第３の名称情報が存在しない場合、前記第３の名称情報を、前記変換情報に含まれる前記第２の名称情報のうち前記第３の名称情報と共通の文字列を有する前記第２の名称情報に変換する、請求項１乃至４のいずれか一つに記載の情報処理方法。
【請求項６】
前記第３の名称情報と共通する文字列を有する前記第２の名称情報が複数あるとき、いずれか一つの前記第２の名称情報の選択を受付け、前記変換ステップは、前記第３の名称情報を、受付けた前記第２の名称情報に変換する、請求項５に記載の情報処理方法。
【請求項７】
前記記憶部に記憶された前記変換情報は、さらに、前記第２の名称情報の定義を表した定義情報を、前記第２の名称情報と対応付けられ、
前記第３の名称情報と共通する文字列を有する前記第２の名称情報が複数ある場合に、当該複数の前記第２の名称情報の各々について、前記定義情報を表示する第２の表示ステップをさらに含む、請求項６に記載の情報処理方法。
【請求項８】
前記変換ステップは、前記第２の名称情報のうち、前記第２の名称情報に対応する第２のプロパティが、予め定めた基準の範囲外にあるものを、変換の候補から除外する、請求項６または７に記載の情報処理方法。
【請求項９】
第１の仕様に従った昇降機のＢＩＭパーツが有する第１のプロパティに設定されている第１の名称情報と、第２の仕様に従った昇降機のＢＩＭパーツが有する第２のプロパティに設定されている第２の名称情報と、を対応付けた変換情報を記憶する記憶部と、
前記第１の仕様に従った昇降機の第１のＢＩＭパーツおよび前記第２の仕様に従った昇降機の第２のＢＩＭパーツを取得する取得部と、
前記変換情報に基づいて、前記取得部によって取得された前記第１のＢＩＭパーツが有する前記第１の名称情報を、前記第２の名称情報に変換する変換部と、
前記第１のＢＩＭパーツが有する前記第１のプロパティの集合と、前記第２のＢＩＭパーツが有する前記第２のプロパティの集合と、を一覧表示する場合に、当該一覧表示に含まれる第１のＢＩＭパーツと第２のＢＩＭパーツに共通する前記第２の名称情報と、前記第２の名称情報に対応する前記第２のプロパティと、前記変換部により前記第２の名称情報に変換された前記第１の名称情報に対応する前記第１のプロパティとを、並べて表示する表示部を含む、
情報処理装置。
【手続補正２】
【補正対象書類名】明細書
【補正対象項目名】００１０
【補正方法】変更
【補正の内容】
【００１０】
実施形態は、情報処理装置で実行される情報処理方法である。前記情報処理装置は、第１の仕様に従った昇降機のＢＩＭパーツが有する第１のプロパティに設定されている第１の名称情報と、第２の仕様に従った昇降機のＢＩＭパーツが有する第２のプロパティに設定されている第２の名称情報と、を対応付けた変換情報を記憶する記憶部を備える。前記情報処理方法は、前記第１の仕様に従った昇降機の第１のＢＩＭパーツおよび前記第２の仕様に従った昇降機の第２のＢＩＭパーツを取得する取得ステップを含む。また、前記変換情報に基づいて、前記取得ステップによって取得された前記第１のＢＩＭパーツが有する前記第１の名称情報を、前記第２の名称情報に変換する変換ステップを含む。また、前記第１のＢＩＭパーツが有する前記第１のプロパティの集合と、前記第２のＢＩＭパーツが有する前記第２のプロパティの集合と、を一覧表示する場合に、当該一覧表示に含まれる第１のＢＩＭパーツと第２のＢＩＭパーツに共通する前記第２の名称情報と、前記第２の名称情報に対応する前記第２のプロパティと、前記変換ステップにより前記第２の名称情報に変換された前記第１の名称情報に対応する前記第１のプロパティとを、並べて表示する表示ステップと、を含む。